(57)【特許請求の範囲】
【請求項１】
直方体の箱本体の内部にペーパーが重層状態で収容され、各ペーパーは端部同士が折り返しにより係合され、ペーパーの折り返し辺と垂直な一方の側面の少なくとも一部に、ペーパーの重層方向と垂直な箱本体の稜辺に接してペーパーの取り出し口が形成され、この取り出し口からペーパーを順次引き出すようにし、
取り出し口が箱本体の稜辺の中央部に長方形で形成され、取り出し口の長方形の長辺がペーパーの重層方向と垂直な稜辺側にあり、長方形のペーパーの重層方向と垂直な長辺の長さが、取り出し口が形成される側面のペーパーの重層方向と垂直な稜辺の長さの１／３〜３／４であり、
かつ箱本体の内側から取り出し口を覆う樹脂フィルムを備え、樹脂フィルムが取り出し口の箱本体の稜辺とは接さず、他の３辺とは接し、箱本体の稜辺と樹脂フィルムとの隙間からペーパーを引き出すようにすることを特徴とする、ペーパー収納箱。
【請求項２】
破断用切目線に沿って切り取り可能に設けられた取り出し口の蓋部を有する、請求項１記載のペーパー収納箱。
【請求項３】
直方体の箱本体が、紙製である、請求項１または２記載のペーパー収納箱。
【請求項４】
請求項１〜３のいずれか１項記載のペーパー収納箱と、直方体の箱本体の内部に重層状態で収容され、各ペーパーは端部同士が折り返しにより係合されるペーパーと、を含むことを特徴とする、ペーパー収納製品。
【請求項５】
取り出し口の箱本体の稜辺に最も近いペーパーに、ペーパー取り出し用部材を備える、請求項４記載のペーパー収納製品。
【請求項６】
請求項１〜３のいずれか１項記載のペーパー収納箱を、ペーパーの取り出し口が上面または側面になるように固定するための、設置台。
【請求項７】
請求項４または５記載のペーパー収納製品を、ペーパーの取り出し口が上面または側面になるように固定するための、設置台。
【請求項８】
請求項４または５記載のペーパー収納製品の取り出し口から、ペーパーを順次引き出すようにすることを特徴とする、ペーパーの使用方法。
【発明の詳細な説明】
【技術分野】
【０００１】
本発明は、ティッシュペーパー、キッチンペーパー、美容理容用コールドペーパー（パーマ用ペーパー）等を収容するペーパー収容箱、このペーパー収納箱と、収納箱に収納されるペーパーとを含むペーパー収納製品、これらのペーパー収容箱または収納製品を固定するための設置台に関する。
【背景技術】
【０００２】
現在、市販されているティッシュペーパー、キッチンペーパー、美容理容用コールドペーパー等の収容製品（以下、ペーパー収納性品等という）は、直方体の箱本体の内部にペーパーが重層状態で収容され、各ペーパーは端部同士が折り返しにより係合され、ペーパーの重層方向上に、取り出し口が形成されている（特許文献１等）。
【０００３】
しかしながら、これらの収容製品には、取り出したペーパーが、取り出した後のハンドリングによって取り出し前の形状通りに折れ曲がり易いため、用途によっては、使い勝手がよくない、また、使用時に横長の形状になるため、設置場所が広くなる等の欠点がある。
【先行技術文献】
【特許文献】
【０００４】
【特許文献１】特開２０１３−９５５００号公報
【発明の概要】
【発明が解決しようとする課題】
【０００５】
本発明は、上記のペーパー収納性品等の欠点を改良することを課題とする。すなわち、本発明は、ペーパーを伸びた状態で取り出すことができ、設置面積を狭くすることが可能なペーパー収納箱、ペーパー収納製品、および設置台を提供することを目的とする。
【課題を解決するための手段】
【０００６】
本発明は、以下に示す構成によって上記課題を解決したペーパー収納箱、ペーパー収納製品、設置台、およびペーパーの使用方法に関する。
〔１〕直方体の箱本体の内部にペーパーが重層状態で収容され、各ペーパーは端部同士が折り返しにより係合され、ペーパーの折り返し辺と垂直な一方の側面の少なくとも一部に、ペーパーの重層方向と垂直な箱本体の稜辺に接してペーパーの取り出し口が形成され、この取り出し口からペーパーを順次引き出すようにすることを特徴とする、ペーパー収納箱。
〔２〕取り出し口が箱本体の稜辺の中央部に長方形で形成され、長方形のペーパーの重層方向と垂直な辺の長さが、取り出し口が形成される側面のペーパーの重層方向と垂直な稜辺の長さの１／３〜３／４であり、かつ長方形のペーパーの重層方向と平行な辺の長さが、取り出し口が形成される側面のペーパーの重層方向と平行な稜辺の長さの１／３〜２／３である、上記〔１〕記載のペーパー収納箱。
〔３〕箱本体の内側から取り出し口を覆う樹脂フィルムを備え、樹脂フィルムが、取り出し口の箱本体の稜辺とは接さず、他の３辺とは接し、箱本体の稜辺と樹脂フィルムとの隙間からペーパーを引き出すようにする、上記〔２〕記載のペーパー収納箱。
〔４〕破断用切目線に沿って切り取り可能に設けられた取り出し口の蓋部を有する、上記〔１〕〜〔３〕のいずれか記載のペーパー収納箱。
〔５〕直方体の箱本体が、紙製である、上記〔１〕〜〔４〕のいずれか記載のペーパー収納箱。
〔６〕上記〔１〕〜〔５〕のいずれか記載のペーパー収納箱と、直方体の箱本体の内部に重層状態で収容され、各ペーパーは端部同士が折り返しにより係合されるペーパーと、を含むことを特徴とする、ペーパー収納製品。
〔７〕取り出し口の箱本体の稜辺に最も近いペーパーに、ペーパー取り出し用部材を備える、上記〔６〕記載のペーパー収納製品。
〔８〕上記〔１〕〜〔５〕のいずれか記載のペーパー収納箱を、ペーパーの取り出し口が上面または側面になるように固定するための、設置台。
〔９〕上記〔６〕または〔７〕記載のペーパー収納製品を、ペーパーの取り出し口が上面または側面になるように固定するための、設置台。
〔１０〕上記〔６〕または〔７〕記載のペーパー収納製品の取り出し口から、ペーパーを順次引き出すようにすることを特徴とする、ペーパーの使用方法。
【発明の効果】
【０００７】
本発明〔１〕によれば、ペーパーを伸びた状態で取り出すことができ、また、設置面積を狭くすることが可能なペーパー収納箱を提供することができる。
【０００８】
本発明〔６〕によれば、ペーパーを伸びた状態で取り出すことができ、設置面積を狭くすることが可能なペーパー収納製品を提供することができる。
【０００９】
本発明〔８〕または〔９〕によれば、本発明のペーパー収納箱やペーパー収納製品を、非常に使い易く設置することができる。また、本発明〔１０〕によれば、設置面積が狭い場所であっても、ペーパーを伸びた状態で取り出すことができる。
【図面の簡単な説明】
【００１０】
【図１】本発明のペーパー収納箱の模式図の一例である。
【図２】本発明のペーパー収納箱の取り出し口の部分の拡大図の一例である。
【図３】本発明のペーパー収納箱の模式図の一例である。
【図４】本発明のペーパー収納箱の断面の模式図の一例である。
【図５】端部同士が折り返しにより係合されるペーパーの断面の模式図の一例である。
【図６】本発明の設置台の模式図の一例である。
【図７】本発明の設置台の模式図の一例である。
【図８】本発明の設置台の模式図の一例である。
【図９】実施例で作製したペーパー収納製品の写真である。
【図１０】実施例で作製したペーパー収納製品のペーパー取り出し用部材を引っ張り、ペーパーを取り出したときの写真である。
【図１１】実施例で作製したペーパー収納製品からペーパーを取り出した後のペーパー収納製品と、取り出したペーパーの写真である。
【図１２】比較例のペーパー収納製品からペーパーを取り出した後のペーパー収納製品と、取り出したペーパーの写真である。
【発明を実施するための形態】
【００１１】
以下、本発明を実施形態に基づいて具体的に説明する。なお、％は特に示さない限り、また数値固有の場合を除いて質量％である。
【００１２】
〔ペーパー収納箱〕
本発明のペーパー収納箱は、直方体の箱本体の内部にペーパーが重層状態で収容され、各ペーパーは端部同士が折り返しにより係合され、ペーパーの折り返し辺と垂直な一方の側面の少なくとも一部に、ペーパーの重層方向と垂直な箱本体の稜辺に接してペーパーの取り出し口が形成され、この取り出し口からペーパーを順次引き出すようにすることを特徴とする。
【００１３】
図１に、本発明のペーパー収納箱（以下、ペーパー収納箱という）の模式図の一例を示す。図１に示すように、ペーパー収納箱１は、直方体の箱本体の内部にペーパーが重層状態で収容され、各ペーパーは端部同士が折り返しにより係合され、ペーパーの折り返し辺と垂直な一方の側面２０の少なくとも一部に、ペーパーの重層方向と垂直な箱本体の稜辺１５に接してペーパーの取り出し口１０が形成され、この取り出し口１０からペーパーを順次引き出すようにすることを特徴とする。なお、図１では、ペーパー収納箱が水平方向に長い状態で記載されているが、後述する図６のように、ペーパー取り出し口が上になるようにして、ペーパー収納箱が鉛直方向に長い状態で使用することができ、この場合に最も設置面積を狭くなる。また、後述する図７のように、取り出し口が、取り出し口を形成する側面の左側（図７には記載されていないが右側も可）になるように置くことにより、従来のティッシュペーパー収納製品等よりも設置面積を狭くすることができる。さらに、図１と図７の中間の状態にして、すなわち、取り出し口を形成する側面を斜めに傾けて、デザインすることもできる。図１に記載したペーパー収納箱の置き方の場合には、従来のティッシュペーパー収納製品等と設置面積が同じであるが、後述する図８で説明するように、デッドスペースを有効活用することが可能となる。本発明では、ペーパー収納箱の置き方がいずれであっても、ペーパーを伸びた状態で取り出すことができる。
【００１４】
ペーパー収納箱は、ペーパーの取り出し易さ、ペーパーを伸びた状態にし易さの観点から、取り出し口が箱本体の稜辺の中央部に長方形で形成され、長方形のペーパーの重層方向と垂直な辺の長さが、取り出し口が形成される側面のペーパーの重層方向と垂直な稜辺の長さの１／３〜３／４であると好ましく、１／３〜１／２であるとより好ましく、かつ長方形のペーパーの重層方向と平行な辺の長さが、取り出し口が形成される側面のペーパーの重層方向と平行な稜辺の長さの１／３〜２／３であると好ましく、１／３〜１／２であるとより好ましい。
【００１５】
また、ペーパー収納箱は、箱本体の内側から長方形の取り出し口を覆う樹脂フィルムを備え、樹脂フィルムが取り出し口の箱本体の稜辺とは接さず、他の３辺とは接し、箱本体の稜辺と樹脂フィルムとの隙間１２０からペーパーを引き出すようにすると、ペーパーが埃等で汚れにくくなる観点から、好ましい。
【００１６】
図２に、ペーパー収納箱の取り出し口の部分の拡大図の一例を示す。図２に示すように、箱本体の内側から取り出し口を覆う樹脂フィルム１１０は、取り出し口の箱本体の稜辺１１５とは接さず、他の３辺１１６、１１７、１１８とは接し、箱本体の稜辺と樹脂フィルムとの隙間１２０からペーパーを引き出すようにすると、好ましい。
【００１７】
また、ペーパー収納箱は、破断用切目線に沿って切り取り可能に設けられた取り出し口の蓋部を有すると、ペーパー収納箱の保管時に、取り出し口から箱内への塵芥等の侵入を防ぐことができ、好ましい。
【００１８】
図３に、本発明のペーパー収納箱の模式図の一例を示す。図３は、ペーパー収納箱が、破断用切目線に沿って切り取り可能に設けられた取り出し口の蓋部を有する例である。図３に示すように、ペーパー収納箱２００は、破断用切目線２３５に沿って切り取り可能に設けられた取り出し口の蓋部２３０を有すると、好ましい。
【００１９】
また、ペーパー収納箱は、直方体の箱本体が、紙製であると、廃棄のし易さ、リサイクル性等の観点から、好ましい。また、ペーパー収納箱が、ポリエチレン、ポリプロピレン等の樹脂製、ゴム製、金属製であると、ペーパーを詰め替え式にして使用する場合に適している。ペーパー収納箱が、ゴム製、金属製の場合には、ペーパー取り出し時に設置台が動きにくくなる観点から好ましい。
【００２０】
また、ペーパー収納箱は、収納されるペーパーの枚数が減少したときに、取り出し口から最後の１枚までペーパーをスムーズに取り出すために、ペーパーを、ペーパーの重層方向と垂直な箱本体の稜辺に押し付けるための押しつけ機構（以下、ペーパー押しつけ機構という）を有すると、好ましい。なお、ペーパー押しつけ機構は、周知の機構でよく、限定されない。
【００２１】
図４に、本発明のペーパー収納箱の断面の模式図の一例を示す。図４は、ペーパー収納箱が、ペーパー押しつけ機構を有する例である。図４に示すペーパー押しつけ機構は、バネ固定台３２０に取り付けられたバネ３３０が、ペーパー押し板３４０を押して、ペーパー３１０を、取り出し口が形成されたペーパーの重層方向と垂直な箱本体の稜辺に押しつけるものである。
【００２２】
〔ペーパー収納製品〕
本発明のペーパー収納製品（以下、ペーパー収納製品という）は、上述のペーパー収納箱と、直方体の箱本体の内部に重層状態で収容され、各ペーパーは端部同士が折り返しにより係合されるペーパーと、を含むことを特徴とする。
【００２３】
図５に、端部同士が折り返しにより係合されるペーパーの断面の模式図の一例を示す。図５に示すように、ペーパー４１０は、端部４３０同士が折り返し辺４２０で折り返しされ、係合される。市販されているティッシュペーパー、キッチンペーパー等で採用されている構造である。
【００２４】
また、ペーパー収納製品は、取り出し口の箱本体の稜辺に最も近いペーパーに、ペーパー取り出し用部材を備えると、最初のペーパーを取り出しやすくなるので、好ましい。このペーパー取り出し用部材としては、市販されている食料品用ラップに用いられている部材等が挙げられるが、特に限定されない。図９に、実施例で作製した取り出し口の箱本体の稜辺に最も近いペーパーに、ペーパー取り出し用部材を形成したペーパー収納製品の写真を示す。
【００２５】
〔設置台〕
本発明の設置台（以下、設置台という）は、上述のペーパー収納箱を、ペーパーの取り出し口を箱本体の上面または側面に固定するための台、または、ペーパー収納製品を、ペーパーの取り出し口が上面または側面になるように固定するための台である。設置台は、プラスチック製、ゴム製、金属製、紙製等の種々の材料で製造することができる。設置台が、ゴム製、金属製であると、ペーパー取り出し時に設置台が動きにくくなる観点から好ましい。また、設置台の底面にゴム板を貼ると、ペーパー取り出し時に設置台が動きにくくなり、好ましい。加えて、設置台５１０の下部をゴム製にし、上部をプラスチック製にすること等もでき、設置台表面への印刷以外に、材料のバリエーションによっても、設置台のデザインの自由度を高めることができる。
【００２６】
この設置台は、ペーパー収納箱またはペーパー収納製品を、ペーパーの取り出し口が上面または側面になるように固定できるものであれば、特に限定されない。
【００２７】
図６に、本発明の設置台の模式図の一例を示す。図６は、ペーパー収納製品を、ペーパーの取り出し口が上面になるように固定する例である。図６に示すように、設置台５１０は、ペーパー収納箱５００を、ペーパーの取り出し口５２０を上面に固定することができる。
【００２８】
図７にも、本発明の設置台の模式図の一例を示す。図7は、ペーパー収納製品を、ペーパーの取り出し口が側面の左側（図７には記載されていないが右側も可）になるように固定する例である。図７に示すように、設置台６１０は、ペーパー収納箱６００を、ペーパーの取り出し口６２０を側面に固定することができる。ペーパー収納製品を、取り出し口が側面になるように置くことにより、従来のティッシュペーパー収納製品等よりも設置面積を狭くすることができる。また、上部のスペースが十分にはない場所にも、ペーパー収納製品を置くことができる。
【００２９】
図８にも、本発明の設置台の模式図の一例を示す。図８は、ペーパー収納製品を、ペーパーの取り出し口が側面の上部になるように固定する例である。図８に示すように、設置台７１０は、ペーパー収納箱７００を、ペーパーの取り出し口７２０を側面に固定することができる。この例は、設置台７１０の上面を、テーブルの天板の底面や、視線より上に位置する棚板等の底面に、接着させる場合に、適している。図８の場合は、従来のティッシュペーパー収納製品等と設置面積が同じであるが、デッドスペースを有効活用することが可能となる。
【実施例】
【００３０】
以下に、実施例により、本発明を詳細に説明するが、本発明はこれらに限定されるものではない。
【００３１】
〔実施例〕
図９に示すような、ペーパー収納製品を作製した。このペーパー収納製品は、取り出し口が形成される側面のペーパーの重層方向と垂直な稜辺の長さが１１７ｍｍ、取り出し口の長方形のペーパーの重層方向と垂直な辺の長さが３９ｍｍ、取り出し口が形成される側面のペーパーの重層方向と平行な稜辺の長さが４５ｍｍ、取り出し口の長方形のペーパーの重層方向と平行な辺の長さが１７ｍｍ、ペーパーの折り返し辺と垂直な一方の側面から見た奥行きが２２６ｍｍであった。また、図９に示すように、このペーパー収納製品には、取り出し口の箱本体の稜辺に最も近いペーパーに、ペーパー取り出し用部材を形成した。
【００３２】
次に、図１０に示すように、ペーパーの取り出し口を上部にして、作製したペーパー収納製品のペーパー取り出し用部材を鉛直方向に引っ張り、ペーパーを取り出した。このとき、ペーパーは、ペーパーの折り返し辺方向に引っ張られ、伸びた状態になった。図１１に示すように、取り出したペーパーは、折り返し辺が伸びた状態であった。また、ペーパーを取り出した後のペーパー収納製品は、次のペーパーが取り出しやすい状態であった。なお、ペーパーの取り出し口を上部ではなく水平方向に設置（いわゆる横置きにして、取り出し口は、ペーパーの折り返し辺と垂直な一方の側面の上部にした）して、水平方向にペーパーを取り出した。このときも、ペーパーを良好に取り出すことができ、ペーパーは、ペーパーの折り返し辺方向に引っ張られ、伸びた状態になった。
【００３３】
〔比較例〕
市販されている通常のティッシュペーパー収納製品を使用した。ペーパー収納製品の外形は、実施例と同じであった。図１２に、比較例のペーパー収納製品からペーパーを取り出した後のペーパー収納製品と、取り出したペーパーの写真を示す。図１２では、取り出したペーパーは、開いているが、ペーパーの折り返し辺の折り跡が強く残っているため、ペーパーを片手でハンドリングすると、すぐに折り跡に沿って、ペーパーが折れ易かった。
【００３４】
実施例は、比較例と比較して、ペーパーを伸びた状態で取り出すことができ、設置面積が、約２０％（〔（１１７ｍｍ×４５ｍｍ）／（１１７ｍｍ×２２６ｍｍ）〕）であった。
【符号の説明】
【００３５】
１、２００、３００、５００、６００、７００      ペーパー収納箱
１０、１１０、５２０、６２０、７２０    取り出し口
１５、１１５、２１５    ペーパーの重層方向と垂直な稜辺
２０、２２０    ペーパーの折り返し辺と垂直な側面
１２０  箱本体の稜辺と樹脂フィルムとの隙間
２３０  取り出し口の蓋部
２３５  破断切目線
３１０  ペーパー
３２０  バネ固定台
３３０  バネ
３４０  ペーパー押し板
４１０  ペーパー
４２０  ペーパーの折り返し辺
４３０  ペーパーの端部
５１０、６１０、７１０  設置台
【図１】
0005980852.tif 000002
【図２】
0005980852.tif 000003
【図３】
0005980852.tif 000004
【図４】
0005980852.tif 000005
【図５】
0005980852.tif 000006
【図６】
0005980852.tif 000007
【図７】
0005980852.tif 000008
【図８】
0005980852.tif 000009
【図９】
0005980852.tif 000010
【図１０】
0005980852.tif 000011
【図１１】
0005980852.tif 000012
【図１２】
0005980852.tif 000013